(57)【要約】      （修正有）【課題】睫毛ブラシの回転時に発生する不安定な揺動を回避でき、マスカラの使用が迅速で便利となるマスカラ収容瓶を提供する。【解決手段】収容瓶と、睫毛ブラシモジュール２０と、ケース４０と、受け台５０と、伝動モジュールと、電源モジュールと、を含む。睫毛ブラシモジュールは、睫毛ブラシ２１と、ブラシロッド２２と、揺動防止用保護スリーブ２３と、を備える。伝動モジュールは、受け台の内部に組み付けられ、モータと、モータシャフトと、伝動継ぎ手と、を備える。ユーザが収容瓶を回転して開けて、睫毛ブラシモジュールを引出しているときには、軟性樹脂プラグ１６の縮径開口により、余計なマスカラを掠め取ることができる。スイッチ７３を正回転又は逆回転の操作モードに切替えたときには、モータの動力が睫毛ブラシに伝達されて、睫毛ブラシが正回転し、又は逆回転できる。【選択図】図２
0003175834.tif 000002
【実用新案登録請求の範囲】
【請求項１】
本体と、金属保護スリーブと、瓶開口と、を備え、前記本体の内部に収容空間が設けられ、前記収容空間がマスカラを収容可能であり、前記本体は、外周面が金属保護スリーブに覆われており、上部の端縁に前記瓶開口が設けられ、前記瓶開口は、外周面に第１外ねじが設けられ、内周面に軟性樹脂プラグが嵌合されており、前記軟性樹脂プラグの一端には、前記瓶開口の端縁に当接する第１外止め縁が設けられる収容瓶と、
睫毛ブラシと、ブラシロッドと、揺動防止用保護スリーブと、を備え、前記ブラシロッドは、前記揺動防止用保護スリーブに挿入されており、一端に前記睫毛ブラシが固定され、他端に連結部が設けられ、前記連結部の内周面にフレキシブル連結器が設けられ、前記揺動防止用保護スリーブの一端に第２外止め縁が設けられる睫毛ブラシモジュールと、
中空状態を呈し、一端に第１内ねじが設けられ、他端に第２内ねじが設けられ、その外周面の中段に開口が設けられ、前記開口の周縁に楕円形窪みが設けられ、前記第１内ねじと前記第１外ねじとを螺合することにより、前記収容瓶を固定できるケースと、
前記ケース内に組み付けられ、上受け台と、下受け台と、を備え、前記上受け台は、一端に上嵌合空間が設けられ、その外周面の中段に回路板が設けられ、前記下受け台の一端に下嵌合空間が設けられ、前記上嵌合空間と前記下嵌合空間とを結合すると環状嵌合空間が形成され、前記揺動防止用保護スリーブの前記第２外止め縁に前記環状嵌合空間を嵌め設けることができ、前記揺動防止用保護スリーブは、弾性付きパッキンを挿通して、前記ケースの内部に設けられる受け台と、
前記受け台の内部に組み付けられ、モータと、モータシャフトと、伝動継ぎ手と、を備え、前記モータが前記回路板と電気的に接続し、前記モータシャフトに前記伝動継ぎ手が固定されている伝動モジュールと、
第１電極片と、第２電極片と、スイッチと、電池と、底蓋と、絶縁スペーサーと、前記回路板と、を備え、前記第１電極片の一端が前記電池の第１電極と電気的に接続し、前記第２電極片の一端が前記電池の第２電極と電気的に接続し、前記第１電極片と前記第２電極片との他端が前記回路板と電気的に接続し、前記スイッチは、前記楕円形窪みを摺動でき、前記ケースの前記開口に係合され、前記回路板の制御により、前記スイッチを正回転、停止及び逆回転の操作モードに切替え可能であり、前記底蓋が前記ケースに螺着される電源モジュールと、
を含み、
ユーザは、前記収容瓶を回転して開けて、前記スイッチを正回転又は逆回転の操作モードに切替えたときに、前記モータの動力が前記睫毛ブラシに伝達されて、前記睫毛ブラシが正回転し、又は逆回転し、前記揺動防止用保護スリーブにより、前記睫毛ブラシの回転時に発生する不安定な揺動を回避できることを特徴とするマスカラ収容瓶。
【請求項２】
前記軟性樹脂プラグの他端に縮径開口が設けられ、前記縮径開口により、使用時の余計なマスカラを掠め取ることができることを特徴とする、請求項１に記載のマスカラ収容瓶。
【請求項３】
前記フレキシブル連結器は、ゴムワッシャーであり、前記連結部に固定する方式が弾性的な嵌合を採用することを特徴とする、請求項１に記載のマスカラ収容瓶。
【考案の詳細な説明】
【技術分野】
【０００１】
本考案は、マスカラを収容する容器に関し、特に、揺動防止用保護スリーブにより、睫毛ブラシの回転時に発生する不安定な揺動を回避でき、マスカラの使用が迅速で便利となるマスカラ収容瓶に関するものである。
【背景技術】
【０００２】
外見の美しさを追求することは人間の天性である。生活レベルの向上に従って、ファッションを追求する国民はどんどん増えている。眼部を良く化粧すると、顔色がつやつやとして元気一杯であるため、女性の化粧する時間の大半は眼部の化粧にかける。近年の化粧のトレンドは、女性の睫毛を長くして反ることが良い。女性の睫毛を長くして反るようにするために、付け睫毛を利用してもいいし、マスカラを塗布してもよい。マスカラを良く塗布することにより、眼部が大きく見え、顔の輪郭の立体感が更に向上する。しかし、マスカラの塗布が良くないと、マスカラが脱落して顔や服装に付けやすい。ユーザのニーズを満足するために、複数のスタイルの電動マスカラが市販となるが、多くのスタイルの電動マスカラは、一方向だけに回転可能であり、睫毛ブラシが回転しているときに、ブラシロッドが長すぎるため、揺動が不安定となりやすい。このように、睫毛にマスカラを均一に塗布することができない。
【考案の概要】
【考案が解決しようとする課題】
【０００３】
本考案の主な目的は、揺動防止用保護スリーブにより、睫毛ブラシの回転時に発生する不安定な揺動を回避でき、マスカラの使用が迅速で便利となるマスカラ収容瓶を提供することにある。
【課題を解決するための手段】
【０００４】
本考案のマスカラ収容瓶によると、本体と、金属保護スリーブと、瓶開口と、を備え、本体の内部に収容空間が設けられ、収容空間がマスカラを収容可能であり、本体は、外周面が金属保護スリーブに覆われており、上部の端縁に瓶開口が設けられ、瓶開口は、外周面に第１外ねじが設けられ、内周面に軟性樹脂プラグが嵌合されており、軟性樹脂プラグの一端には、瓶開口の端縁に当接する第１外止め縁が設けられる収容瓶と、
睫毛ブラシと、ブラシロッドと、揺動防止用保護スリーブと、を備え、ブラシロッドは、揺動防止用保護スリーブに挿入されており、一端に睫毛ブラシが固定され、他端に連結部が設けられ、連結部の内周面にフレキシブル連結器が設けられ、揺動防止用保護スリーブの一端に第２外止め縁が設けられる睫毛ブラシモジュールと、
中空状態を呈し、一端に第１内ねじが設けられ、他端に第２内ねじが設けられ、その外周面の中段に開口が設けられ、開口の周縁に楕円形窪みが設けられ、第１内ねじと第１外ねじとを螺合することにより、収容瓶を固定できるケースと、
ケース内に組み付けられ、上受け台と、下受け台と、を備え、上受け台は、一端に上嵌合空間が設けられ、その外周面の中段に回路板が設けられ、下受け台の一端に下嵌合空間が設けられ、上嵌合空間と下嵌合空間とを結合すると環状嵌合空間が形成され、揺動防止用保護スリーブの第２外止め縁に環状嵌合空間を嵌め設けることができ、揺動防止用保護スリーブは、弾性付きパッキンを挿通して、ケースの内部に設けられる受け台と、
受け台の内部に組み付けられ、モータと、モータシャフトと、伝動継ぎ手と、を備え、モータが回路板と電気的に接続し、モータシャフトに伝動継ぎ手が固定されている伝動モジュールと、
第１電極片と、第２電極片と、スイッチと、電池と、底蓋と、絶縁スペーサーと、回路板と、を備え、第１電極片の一端が電池の第１電極と電気的に接続し、第２電極片の一端が電池の第２電極と電気的に接続し、第１電極片と第２電極片との他端が回路板と電気的に接続し、スイッチは、楕円形窪みを摺動でき、ケースの開口に係合され、回路板の制御により、スイッチを正回転、停止及び逆回転の操作モードに切替え可能であり、底蓋がケースに螺着される電源モジュールと、
を含み、
ユーザは、収容瓶を回転して開けて、スイッチを正回転又は逆回転の操作モードに切替えたときに、モータの動力が睫毛ブラシに伝達されて、睫毛ブラシが正回転し、又は逆回転し、揺動防止用保護スリーブにより、睫毛ブラシの回転時に発生する不安定な揺動を回避できることを特徴とする。
【０００５】
本考案のマスカラ収容瓶によると、軟性樹脂プラグの他端に縮径開口が設けられ、縮径開口により、使用時の余計なマスカラを掠め取ることができることを特徴とする。
【０００６】
本考案のマスカラ収容瓶によると、フレキシブル連結器は、ゴムワッシャーであり、連結部に固定する方式が弾性的な嵌合を採用することを特徴とする。
【考案の効果】
【０００７】
本考案のマスカラ収容瓶によれば、次のような効果がある。
（１）揺動防止用保護スリーブにより、睫毛ブラシの回転時に発生する不安定な揺動を回避でき、マスカラの使用が迅速で便利となる。
【０００８】
（２）回路板の制御により、スイッチを正回転、停止及び逆回転の操作モードに切替え可能であるため、ユーザは右手又は左手で本考案のマスカラ収容瓶を操作でき、右眼又は左眼の上睫毛と下睫毛とにマスカラを塗布でき、利用が極めて便利となる。
【０００９】
（３）軟性樹脂プラグの他端に縮径開口が設けられ、縮径開口により、使用時の余計なマスカラを掠め取ることができるため、睫毛ブラシにマスカラを適量で均一に付けることができる。
【００１０】
（４）製品を起用する前に、第２電極片と電池の間に絶縁スペーサーが配されるため、長期間に起用されなくても、電池の電力が失うことはない。
【図面の簡単な説明】
【００１１】
【図１】本考案の一実施例の組合済み状態を示す斜視図である。
【図２】本考案の一実施例を示す分解斜視図である。
【図３】本考案の一実施例の組合済み状態を示す断面図である。
【図４】本考案の一実施例の収容瓶を開けて利用する前の状態を示す断面図である。
【図５】本考案の一実施例の収容瓶を開けて利用した状態を示す一部剖開図である。
【考案を実施するための形態】
【００１２】
以下、本考案の実施の形態を図面に基づいて説明する。
まず、図１乃至図５を参照する。本考案の一実施例のマスカラ収容瓶は、収容瓶１０と、睫毛ブラシモジュール２０と、ケース４０と、受け台５０と、伝動モジュール６０と、電源モジュール７０と、を含む。
【００１３】
収容瓶１０は、本体１１と、金属保護スリーブ１３と、瓶開口１４と、を備える。本体１１の内部に収容空間１５が設けられる。収容空間１５はマスカラを収容可能である。本体１１は、外周面が金属保護スリーブ１３に覆われており、超音波溶接により上部の端縁に瓶開口１４が固定される。瓶開口１４は、外周面に第１外ねじ１４１が設けられ、内周面に軟性樹脂プラグ１６が嵌合されている。軟性樹脂プラグ１６の一端には、瓶開口１４の端縁に当接する第１外止め縁１６２が設けられる。軟性樹脂プラグ１６の他端に縮径開口１６３が設けられる。縮径開口１６３により、使用時の余計なマスカラを掠め取ることができる。
【００１４】
睫毛ブラシモジュール２０は、睫毛ブラシ２１と、ブラシロッド２２と、揺動防止用保護スリーブ２３と、を備える。ブラシロッド２２は、揺動防止用保護スリーブ２３に挿入されており、一端に睫毛ブラシ２１が固定され、他端に連結部２２１が設けられる。連結部２２１の内周面にフレキシブル連結器２４が設けられる。フレキシブル連結器２４は、ゴムワッシャーであり、連結部２２１に固定する方式が弾性的な嵌合を採用する。揺動防止用保護スリーブ２３の一端に第２外止め縁２３１が設けられる。
【００１５】
ケース４０は、中空状態を呈し、一端に第１内ねじ４０１が設けられ、他端に第２内ねじ４０２が設けられ、その外周面の中段に開口４０３が設けられる。開口４０３の周縁に楕円形窪み４０４が設けられる。第１内ねじ４０１と第１外ねじ１４１とを螺合することにより、ケース４０に収容瓶１０を固定できる。
【００１６】
受け台５０は、ケース４０内に組み付けられ、上受け台５１と、下受け台５２と、を備える。上受け台５１に上係合面５１１が設けられる。上受け台５１は、一端に上嵌合空間５１３が設けられ、その外周面の中段に回路板７７が設けられる。上係合面５１１に係合ピン５１２が複数設けられる。下受け台５２に下係合面５２１が設けられる。下受け台５２の一端に下嵌合空間５２３が設けられる。下係合面５２１には、これらの係合ピン５１２にそれぞれ対応する係合穴５２２が設けられる。各係合穴５２２に各係合ピン５１２を係合することにより、上受け台５１と下受け台５２を結合でき、そして上嵌合空間５１３と下嵌合空間５２３を結合して環状嵌合空間５３を形成することができる。揺動防止用保護スリーブ２３の第２外止め縁２３１に環状嵌合空間５３を嵌め設けることができる。揺動防止用保護スリーブ２３は、弾性付きパッキン２６を挿通して、ケース４０の内部に設けられる。
【００１７】
伝動モジュール６０は、受け台５０の内部に組み付けられ、モータ６１と、モータシャフト６２と、伝動継ぎ手６３と、を備える。モータ６１は回路板７７と電気的に接続する。モータシャフト６２に伝動継ぎ手６３が固定されている。伝動継ぎ手６３は、十字形の断面形状を呈し、フレキシブル連結器２４と弾性的に結合する。このように、モータシャフト６２の伝動が若干に偏心してもよい。
【００１８】
電源モジュール７０は、第１電極片７１と、第２電極片７２と、スイッチ７３と、電池７４と、底蓋７５と、絶縁スペーサー７６と、回路板７７と、を備える。第１電極片７１の一端は電池７４の第１電極と電気的に接続する。第２電極片７２の一端と電池７４の第２電極との間に絶縁スペーサー７６が配されている。絶縁スペーサー７６は樹脂シートである。第１電極片７１と第２電極片７２との他端は回路板７７とそれぞれ電気的に接続する。スイッチ７３は、楕円形窪み４０４を摺動でき、ケース４０の開口４０３に係合される。回路板７７の制御により、スイッチ７３を正回転、停止及び逆回転の操作モードに切替え可能である。底蓋７５は、一端に第２外ねじ７５１が設けられ、その内部に電池台７８が設けられる。電池台７８は電池７４を収容できる。第２内ねじ４０２と第２外ねじ７５１を螺合することにより、ケース４０に底蓋７５を螺着できる。電池の電力が切れたときには、底蓋７５を開けて電池７４を交換できる。
【００１９】
本考案のマスカラ収容瓶を起用する前には、図４に示すように、第２電極片７２の一端と電池７４の第２電極との間に絶縁スペーサー７６が配されているため、長期間に起用されなくても、電池の電力が失うことはない。本考案のマスカラ収容瓶を起用したいときには、絶縁スペーサー７６を取り除くと、図５に示すように、第２電極片７２の一端が電池７４の第２電極と電気的に接続する。
【００２０】
ユーザが収容瓶１０を回転して開けて、収容空間１５から睫毛ブラシモジュール２０を引出しているときには、軟性樹脂プラグ１６の縮径開口１６３により、余計なマスカラを掠め取ることができる。スイッチ７３を正回転又は逆回転の操作モードに切替えたときには、モータ６１の動力は、伝動継ぎ手６３、フレキシブル連結器２４及びブラシロッド２２を経由して、睫毛ブラシ２１に伝達されて、睫毛ブラシ２１が正回転し、又は逆回転できる。揺動防止用保護スリーブ２３により、睫毛ブラシ２１の回転時に発生する不安定な揺動を回避できる。
【産業上の利用可能性】
【００２１】
本考案は、マスカラ収容瓶に適用することができる。
【符号の説明】
【００２２】
１０：収容瓶
１１：本体
１３：金属保護スリーブ
１４：瓶開口
１５：収容空間
１６：軟性樹脂プラグ
２０：睫毛ブラシモジュール
２１：睫毛ブラシ
２２：ブラシロッド
２３：揺動防止用保護スリーブ
２４：フレキシブル連結器
２６：弾性付きパッキン
４０：ケース
５０：受け台
５１：上受け台
５２：下受け台
５３：環状嵌合空間
６０：伝動モジュール
６１：モータ
６２：モータシャフト
６３：伝動継ぎ手
７０：電源モジュール
７１：第１電極片
７２：第２電極片
７３：スイッチ
７４：電池
７５：底蓋
７６：絶縁スペーサー
７７：回路板
７８：電池台
１４１：第１外ねじ
１６２：第１外止め縁
１６３：縮径開口
２２１：連結部
２３１：第２外止め縁
４０１：第１内ねじ
４０２：第２内ねじ
４０３：開口
４０４：楕円形窪み
５１１：上係合面
５１２：係合ピン
５１３：上嵌合空間
５２１：下係合面
５２２：係合穴
５２３：下嵌合空間
７５１：第２外ねじ
【図１】
0003175834.tif 000003
【図２】
0003175834.tif 000004
【図３】
0003175834.tif 000005
【図４】
0003175834.tif 000006
【図５】
0003175834.tif 000007